(57)【特許請求の範囲】
【請求項１】
接続要求信号を送信し前記接続要求信号に対する応答信号を送信した先と無線接続する無線子機と通信するとともに、ネットワークに有線により接続された固定式無線機器と通信し、ネットワークに無線により接続された移動式無線機器であって、
前記固定式無線機器により出力される識別情報信号に基づいて、前記固定式無線機器を検出する検出部と、
前記検出部の検出結果と、前記無線子機により出力される前記接続要求信号とに基づいて、前記接続要求信号に対する前記応答信号を前記無線子機に送信するか否かを判断する判断部と、
前記判断部の判断結果に基づいて、前記応答信号を前記無線子機に送信する応答信号送信部と、
前記接続要求信号の接続要求先に含まれる前記移動式無線機器及び前記固定式無線機器の優先度を設定する優先度設定部とを有し、
前記判断部は、前記優先度設定部により設定された前記移動式無線機器の優先度よりも高い優先度の前記固定式無線機器が、前記検出部により検出された場合には、前記応答信号を前記無線子機に送信しない判断を行い、前記優先度設定部により設定された前記移動式無線機器の優先度よりも高い優先度の前記固定式無線機器が、前記検出部により検出されない場合には、前記応答信号を前記無線子機に送信する判断を行う移動式無線機器。
【請求項２】
前記移動式無線機器が前記無線子機と無線接続を確立している場合であって、前記接続要求信号の接続要求先の固定式無線機器が、前記検出部により検出されたとき、前記無線子機との無線接続を解除する接続解除信号を前記無線子機に送信する解除信号送信部と、を有する請求項１に記載の移動式無線機器。
【請求項３】
接続要求信号を送信し前記接続要求信号に対する応答信号を送信した先と無線接続する無線子機と、ネットワークに有線により接続された固定式無線機器と、前記無線子機と前記固定式無線機器と通信しネットワークに無線により接続された移動式無線機器と、を有する無線通信システムであって、
前記移動式無線機器は、
前記固定式無線機器により出力される識別情報信号に基づいて、前記固定式無線機器を検出する検出部と、
前記検出部の検出結果と、前記無線子機により出力される前記接続要求信号とに基づいて、前記接続要求信号に対する前記応答信号を前記無線子機に送信するか否かを判断する判断部と、
前記判断部の判断結果に基づいて、前記応答信号を前記無線子機に送信する応答信号送信部と、
前記接続要求信号の接続要求先に含まれる前記移動式無線機器及び前記固定式無線機器の優先度を設定する優先度設定部とを有し、
前記判断部は、前記優先度設定部により設定された前記移動式無線機器の優先度よりも
高い優先度の前記固定式無線機器が、前記検出部により検出された場合には、前記応答信
号を前記無線子機に送信しない判断を行い、前記優先度設定部により設定された前記移動
式無線機器の優先度よりも高い優先度の前記固定式無線機器が、前記検出部により検出さ
れない場合には、前記応答信号を前記無線子機に送信する判断を行う無線通信システム。
【請求項４】
前記移動式無線機器が、
前記移動式無線機器が前記無線子機と無線接続を確立している場合であって、前記接続要求信号の接続要求先の固定式無線機器が、前記検出部により検出されたとき、前記無線子機との無線接続を解除する接続解除信号を前記無線子機に送信する解除信号送信部を有する請求項３に記載の無線通信システム。
【請求項５】
接続要求信号を送信し前記接続要求信号に対する応答信号を送信した先と無線接続する無線子機と通信するとともに、ネットワークに有線により接続された固定式無線機器と通信し、ネットワークに無線により接続された移動式無線機器の無線通信方法であって、
前記固定式無線機器により出力される識別情報信号に基づいて、前記固定式無線機器を検出する検出ステップと、
前記検出ステップの検出結果と、前記無線子機により出力される前記接続要求信号とに基づいて、前記接続要求信号に対する前記応答信号を前記無線子機に送信するか否かを判断する判断ステップと、
前記判断ステップの判断結果に基づいて、前記応答信号を前記無線子機に送信する送信ステップと、
前記接続要求信号の接続要求先に含まれる前記移動式無線機器及び前記固定式無線機器の優先度を設定する優先度設定ステップとを含み、
前記判断ステップにおいて、前記優先度設定ステップで設定された前記移動式無線機器の優先度よりも高い優先度の前記固定式無線機器が、前記検出ステップで検出された場合には、前記応答信号を前記無線子機に送信しない判断を行い、前記優先度設定ステップで設定された前記移動式無線機器の優先度よりも高い優先度の前記固定式無線機器が、前記検出ステップで検出されない場合には、前記応答信号を前記無線子機に送信する判断を行う無線通信方法。
【請求項６】
前記移動式無線機器が前記無線子機と無線接続を確立している場合であって、前記接続
要求信号の接続要求先の固定式無線機器が、前記検出ステップで検出されたとき、前記無線子機との無線接続を解除する接続解除信号を前記無線子機に送信する解除信号送信ステップを含む請求項５に記載の無線通信方法。
【発明の詳細な説明】
【技術分野】
【０００１】
本発明は、移動式無線機器等に関し、例えば、無線子機と、ネットワークに有線により接続された固定式無線機器と無線接続可能な移動式無線機器等に関する。
【背景技術】
【０００２】
近年、無線ＬＡＮ（Local Area Network）アクセスポイント等の無線ＬＡＮ親機機能を有する通信機器（背景技術の欄では、無線機器とよぶ）と、無線ＬＡＮクライアントと呼ばれるゲーム機やパーソナルコンピュータやスマートフォン等の無線ＬＡＮ子機機能を有する通信機器（背景技術の欄では、無線子機とよぶ）とを無線ＬＡＮ接続する技術が広く知られている。
【０００３】
ところで、無線ＬＡＮ接続可能な無線機器が無線子機の周辺に複数存在する環境では、一般的に無線子機が接続先として選択する無線機器は、無線子機の動作に依存する。すなわち、一般的な無線子機は、例えば、周辺の無線機器に接続要求信号を送信して、無線機器を探索（スキャン）する。そして、無線子機は、その接続要求信号に対する応答信号を送信した無線機器の順に従って、接続先の無線機器を選ぶ。そのため、無線子機が無線ＬＡＮ接続する無線機器は不定となる。その結果、無線子機は、ユーザが接続を望む無線機器とは別の無線機器と無線ＬＡＮ接続する場合があった。
【０００４】
ここで、例えば、無線子機の周辺に、ネットワークに有線により接続されている固定式無線機器と、ネットワークに無線（例えば、携帯電話回線）により接続されている移動式無線機器とが存在している場合を想定する。この場合、無線子機は、通信速度等の観点から、移動式無線機器よりも固定式無線機器と無線ＬＡＮ接続することが望ましい。
【０００５】
なお、上記に関連して、特許文献１には、無線ＬＡＮクライアントである無線子機と無線ＬＡＮ接続する無線機器を、移動式無線機器から、固定式無線機器にハンドオーバーして切り替える無線ＬＡＮシステムの技術が開示されている。
【先行技術文献】
【特許文献】
【０００６】
【特許文献１】国際公開第２０１０／１１０４２６号
【発明の概要】
【発明が解決しようとする課題】
【０００７】
しかしながら、上述したように、無線子機の周辺に固定式無線機器と移動式無線機器とが存在している場合、無線子機が接続先として選択する無線機器は、一般的に無線子機の動作に依存する。そのため、無線子機は、固定式無線機器よりも一般的に通信速度が劣る移動式無線機器と無線ＬＡＮ接続してしまう場合があった。
【０００８】
なお、無線子機には、予め設定された接続先の優先度によって無線ＬＡＮ接続する無線機器を決定することが可能なものもある。しかしながら、無線子機が無線機器をスキャンするタイミングによっては、必ずしも設定された優先度通りに接続先の無線機器が決まらない場合がある。また、優先度の設定は、無線子機の操作に慣れていない一般的なユーザにとって困難である。
【０００９】
本発明は、このような事情を鑑みてなされたものであり、その目的は、無線子機が通信環境に応じた無線接続先を適切に選択できるように、無線子機の無線接続動作を制御することができる移動式無線機器等を提供することにある。
【課題を解決するための手段】
【００１０】
本発明の移動式無線機器は、接続要求信号を送信し前記接続要求信号に対する応答信号を送信した先と無線接続する無線子機と通信するとともに、ネットワークに有線により接続された固定式無線機器と通信し、ネットワークに無線により接続された移動式無線機器であって、前記固定式無線機器により出力される識別情報信号に基づいて、前記固定式無線機器を検出する検出部と、前記検出部の検出結果と、前記無線子機により出力される前記接続要求信号とに基づいて、前記接続要求信号に対する前記応答信号を前記無線子機に送信するか否かを判断する判断部と、前記判断部の判断結果に基づいて、前記応答信号を前記無線子機に送信する応答信号送信部とを有する。
【００１１】
また、本発明の無線通信システムは、接続要求信号を送信し前記接続要求信号に対する応答信号を送信した先と無線接続する無線子機と、ネットワークに有線により接続された固定式無線機器と、前記無線子機と前記固定式無線機器と通信しネットワークに無線により接続された移動式無線機器と、を有する無線通信システムであって、前記移動式無線機器は、前記固定式無線機器により出力される識別情報信号に基づいて、前記固定式無線機器を検出する検出部と、前記検出部の検出結果と、前記無線子機により出力される前記接続要求信号とに基づいて、前記接続要求信号に対する前記応答信号を前記無線子機に送信するか否かを判断する判断部と、前記判断部の判断結果に基づいて、前記応答信号を前記無線子機に送信する応答信号送信部と、を有する。
【００１２】
また、本発明の無線通信方法は、接続要求信号を送信し前記接続要求信号に対する応答信号を送信した先と無線接続する無線子機と通信するとともに、ネットワークに有線により接続された固定式無線機器と通信し、ネットワークに無線により接続された移動式無線機器の無線通信方法であって、前記固定式無線機器により出力される識別情報信号に基づいて、前記固定式無線機器を検出する検出ステップと、前記検出ステップの検出結果と、前記無線子機により出力される前記接続要求信号とに基づいて、前記接続要求信号に対する前記応答信号を前記無線子機に送信するか否かを判断する判断ステップと、前記判断ステップの判断結果に基づいて、前記応答信号を前記無線子機に送信する送信ステップと、を含む。
【発明の効果】
【００１３】
本発明にかかる技術によれば、無線子機が通信環境に応じた無線接続先を適切に選択できるように、無線子機の無線接続動作を制御することができる。
【図面の簡単な説明】
【００１４】
【図１】本発明の第１の実施の形態における移動式無線機器を含む無線通信システムの構成を示すブロック図である。
【図２】本発明の第１の実施の形態における移動式無線機器が、アクセスポイントを検出する動作を説明するための図である。
【図３】本発明の第１の実施の形態における移動式無線機器が、接続要求信号を受信する動作を説明するための図である。
【図４】本発明の第１の実施の形態における移動式無線機器の動作の概略を示す図である。
【図５】本発明の第１の実施の形態における移動式無線機器の動作フローを示す図である。
【図６】本発明の第１の実施の形態における移動式無線機器の動作フローを示す図である。
【図７】本発明の第２の実施の形態における移動式無線機器を含む無線通信システムの構成を示すブロック図である。
【図８】本発明の第２の実施の形態における移動式無線機器の優先度設定部が優先度を設定する動作を説明するための図である。
【図９】本発明の第２の実施の形態における移動式無線機器の動作フローを示す図である。
【図１０】本発明の第２の実施の形態における移動式無線機器の動作フローを示す図である。
【発明を実施するための形態】
【００１５】
＜第１の実施の形態＞
図１を用いて、本発明の第１の実施の形態における無線通信システム１０００の構成を説明する。図１は、移動式無線機器１００を含む無線通信システム１０００の構成を示すブロック図である。無線通信システム１０００は、移動式無線機器１００と、アクセスポイント２００と、無線子機３００とを含んで構成される。
【００１６】
説明の便宜上、移動式無線機器１００の構成を説明する前に、まず、図１を用いて、アクセスポイント２００及び無線子機３００について説明する。
【００１７】
図１に示されるように、アクセスポイント２００は、アクセスポイント側通信部２１０を有して構成されている。アクセスポイント２００は、ネットワーク４００に有線回線により接続されている。アクセスポイント２００は、例えば、ＩＥＥＥ８０２．１１に準拠する無線機器であり、ビルや住宅等の屋内に設置された据え置き型ルータ等の無線ＬＡＮ（Local Area Network）親機機能を有する無線機器である。なお、アクセスポイント２００は、本発明の固定式無線機器に相当する。
【００１８】
アクセスポイント側通信部２１０は、例えば、ＩＥＥＥ８０２．１１に準拠した通信部である。アクセスポイント側通信部２１０は、識別情報信号を移動式無線機器１００に出力する。なお、アクセスポイント通信部２１０は、所定の時間ごとに識別情報信号を出力する。識別情報信号は、例えば、ＩＥＥＥ８０２．１１に規格されるビーコン（Beacon）信号である。ビーコン信号には、アクセスポイント２００のＥＳＳＩＤ（Extended Service Set Identifier）等の識別情報が含まれている。
【００１９】
また、アクセスポイント側通信部２１０は、後述する無線子機３００により出力される接続要求信号を受信したとき、この接続要求信号に対する応答信号を送信する。これにより、アクセスポイント２００は、無線子機３００に無線接続される。
【００２０】
図１に示されるように、無線子機３００は、無線子機側通信部３１０を有して構成されている。無線子機３００は、例えば、ＩＥＥＥ８０２．１１に準拠する通信機器であり、ゲーム機やパーソナルコンピュータやスマートフォン等の無線ＬＡＮ子機機能を有する通信機器である。なお、無線子機３００は、無線ＬＡＮクライアントとも呼ばれる。
【００２１】
無線子機側通信部３１０は、例えば、ＩＥＥＥ８０２．１１に準拠した通信部である。無線子機側通信部３１０は、接続要求信号を移動式無線機器１００及びアクセスポイント２００に送信する。接続要求信号は、例えば、ＩＥＥＥ８０２．１１フレームのProbe Requestである。接続要求信号であるProbe Requestには、無線子機３００を識別するための識別子であるＭａｃアドレスや接続要求先のＥＳＳＩＤ等の情報が含まれている。
【００２２】
また、無線子機側通信部３１０は、移動式無線機器１００やアクセスポイント２００により送信される接続要求信号に対する応答信号を受信する。これにより、無線子機３００は、応答信号を送信した先と無線接続する。なお、応答信号は、例えば、ＩＥＥＥ８０２．１１フレームのProbe Responseである。
【００２３】
次に、図１を用いて、移動式無線機器１００の詳細な構成を説明する。
【００２４】
図１に示されるように、移動式無線機器１００は、検出部１１０と、判断部１５１と応答信号送信部１３２とを有して構成されている。移動式無線機器１００は、ネットワーク４００に無線により接続されている。なお、ここでは、移動式無線機器１００は、ＩＭＴ２０００（International Mobile Telecommunication 2000）に準拠した３Ｇ（3rd Generation）回線でネットワークに接続されている例を示している。
【００２５】
図１に示されるように、検出部１１０は、制御部１５０に接続されている。検出部１１０は、アクセスポイント２００により出力される識別情報信号に基づいて、アクセスポイント２００を検出（スキャン）する。検出部１１０により検出されたアクセスポイント２００の検出結果は、制御部１５０を介して、アクセスポイントリスト保存部１２０に、アクセスポイントリストとして保存される。
【００２６】
また、検出部１１０は、所定の時間（例えば、１００ｍｓ）ごとにアクセスポイント２００の検出（スキャン）を実行する。なお、ここでは、所定の時間は１００ｍｓである例を示した。しかしながら、例えば、ユーザが所定の時間として任意の値を設定できるようにしてもよい。
【００２７】
図１に示されるように、アクセスポイントリスト保存部１２０は、制御部１５０に接続されている。アクセスポイントリスト保存部１２０には、検出部１１０により検出されたアクセスポイント２００の検出結果がアクセスポイントリストとして保存される。
【００２８】
図１に示されるように、移動式無線機器側通信部１３０は、制御部１５０に接続されている。移動式無線機器側通信部１３０は、例えば、ＩＥＥＥ８０２．１１に準拠した通信部である。移動式無線機器側通信部１３０は、受信部１３１と、応答信号送信部１３２と、解除信号送信部１３３とを有する。
【００２９】
受信部１３１は、無線子機３００により出力される接続要求信号であるProbe Requestを受信する。受信部１３１により受信された接続要求信号の受信結果は、制御部１５０を介して、接続要求先リスト保存部１４０に、接続要求先リストとして保存される。
【００３０】
応答信号送信部１３２は、後述する制御部１５０の判断部１５１の判断結果に基づいて、応答信号であるProbe Responseを無線子機３００に送信する。これにより、移動式無線機器１００は、無線子機３００と無線接続する。なお、応答信号送信部１３２の具体的な動作については、図４〜６を用いて後述する。
【００３１】
解除信号送信部１３３は、移動式無線機器１００が無線子機３００と無線接続を確立している場合であって、接続要求信号の接続要求先のアクセスポイント２００が、検出部１１０により検出されたとき、無線子機３００との無線接続を解除する接続解除信号を無線子機３００に送信する。接続解除信号は、例えば、ＩＥＥＥ８０２．１１フレームのDeauthentication Requestである。なお、解除信号送信部１３３の具体的な動作については、図５を用いて後述する。
【００３２】
図１に示されるように、接続要求先リスト保存部１４０は、制御部１５０に接続されている。接続要求先リスト保存部１４０には、受信部１３１により受信された接続要求信号の受信結果が接続要求先リストとして保存される。
【００３３】
図１に示されるように、制御部１５０は、検出部１１０とアクセスポイントリスト保存部１２０と移動式無線機器側通信部１３０と接続要求先リスト保存部１４０とにそれぞれ接続されている。制御部１５０は、移動式無線機器１００の全体を制御する。また、制御部１５０は、判断部１５１を有する。
【００３４】
また、制御部１５０は、検出部１１０により検出したアクセスポイント２００の識別情報信号からＥＳＳＩＤを抽出し、アクセスポイントリストとしてアクセスポイントリスト保存部１２０に保存する。
【００３５】
そして、制御部１５０は、受信部１３１により受信した接続要求信号から接続要求先のＥＳＳＩＤを抽出し、接続要求先リストとして接続要求先リスト保存部１４０に保存する。
【００３６】
判断部１５１は、検出部１１０の検出結果と、無線子機３００により出力される接続要求信号とに基づいて、接続要求信号に対する応答信号を無線子機３００に送信するか否かを判断する。
【００３７】
具体的には、判断部１５１は、接続要求信号の接続要求先に、検出部１１０により検出されたアクセスポイント２００が含まれている場合には、応答信号を無線子機３００に送信しない判断を行う。また、判断部１５１は、接続要求信号の接続要求先に、検出部１１０により検出されたアクセスポイント２００が含まれていない場合には、応答信号を無線子機３００に送信する判断を行う。なお、判断部１５１のより詳細な動作については、図４〜６を用いて後述する。
【００３８】
次に、図２を用いて、移動式無線機器１００が、アクセスポイント２００を検出する動作について説明する。図２は、移動式無線機器１００が、アクセスポイント２００を検出する動作を説明するための図である。
【００３９】
図２では、移動式無線機器１００が、アクセスポイント２００Ａ、２００Ｂを検出する例を示している。アクセスポイント２００Ａ、２００Ｂは、前述したアクセスポイント２００と同等の構成である。また、ここでは、アクセスポイント２００Ａは、ＥＳＳＩＤ＝ＡＰ−Ａが設定され、ＥＳＳＩＤ＝ＡＰ−Ａを含むビーコン信号を出力する例を示している。そして、ここでは、アクセスポイント２００Ｂは、ＥＳＳＩＤ＝ＡＰ−Ｂが設定され、ＥＳＳＩＤ＝ＡＰ−Ｂを含むビーコン信号を出力する例を示している。
【００４０】
図２に示されるように、移動式無線機器１００は、アクセスポイント２００Ａ、２００Ｂにより出力される識別情報信号であるビーコン信号を検出部１１０で検出し、その検出結果である各ＥＳＳＩＤを、アクセスポイントリスト保存部１２０にアクセスポイントリストとして保存する。これにより、移動式無線機器１００は、アクセスポイント２００Ａ、２００Ｂを検出する。なお、ここでは、アクセスポイント２００が２つの場合を示したが、アクセスポイント２００は、１つであってもよく、２つ以上でもよい。
【００４１】
次に、図３を用いて、移動式無線機器１００が、接続要求信号を受信する動作について説明する。図３は、移動式無線機器１００が、接続要求信号を受信する動作を説明するための図である。
【００４２】
図３では、移動式無線機器１００が、無線子機であるタブレット３００Ａ及びパソコン３００Ｂから出力される接続要求信号であるProbe Requestを受信する例を示している。タブレット３００Ａ及びパソコン３００Ｂは、前述した無線子機３００と同等の構成である。また、ここでは、移動式無線機器１００は、ＥＳＳＩＤ＝ＭＲが設定されている例を示している。
【００４３】
タブレット３００Ａ及びパソコン３００Ｂは、アクティブスキャンが許可された無線子機である。タブレット３００Ａ及びパソコン３００Ｂが送信するProbe Requestには、接続要求先を指定しないProbe Request（Broadcast）と、接続要求先のＥＳＳＩＤを指定するProbe Request（ＥＳＳＩＤ）とがある。
【００４４】
そして、ここでは、タブレット３００Ａは、接続要求先として、アクセスポイント２００Ａ（ＥＳＳＩＤ＝ＡＰ−Ａ）と移動式無線機器１００（ＥＳＳＩＤ＝ＭＲ）とが設定されている例を示している。パソコン３００Ｂは、接続要求先として、アクセスポイント２００Ａ（ＥＳＳＩＤ＝ＡＰ−Ａ）、２００Ｂ（ＥＳＳＩＤ＝ＡＰ−Ｂ）、不図示の２００Ｃ（ＥＳＳＩＤ＝ＡＰ−Ｃ）と移動式無線機器１００（ＥＳＳＩＤ＝ＭＲ）とが設定されている例を示している。
【００４５】
図３に示されるように、移動式無線機器１００は、タブレット３００Ａ及びパソコン３００Ｂから送信されたProbe Request中に含まれ、接続要求先を示す各ＥＳＳＩＤを抽出し、これらのＥＳＳＩＤを接続要求先リスト保存部１４０に接続要求先リストとして保存する。このとき、図３に示されるように、移動式無線機器１００は、Probe Requestの送信元であるタブレット３００Ａ、パソコン３００Ｂごとに、それぞれの接続要求先を示す各ＥＳＳＩＤを接続要求先リスト保存部１４０に保存する。なお、Probe Requestの送信元は、移動式無線機器１００の制御部１５０が、Probe Requestに含まれるＭａｃアドレスから判断する。
【００４６】
次に、図４〜６を用いて、移動式無線機器１００の動作について詳細に説明する。図４は、本発明の第１の実施の形態における移動式無線機器１００の動作の概略を示す図である。図５及び図６は、本発明の第１の実施の形態における移動式無線機器１００の動作フローを示す図である。
【００４７】
まず、図４を用いて、移動式無線機器１００の動作の概略を説明する。ここでは、アクセスポイント２００Ａ、２００Ｂは、一般家庭等の屋内に固定して備え付けられている例を示している。また、パソコン３００Ｂは、アクセスポイント２００Ａと無線接続している。
【００４８】
図４に示されるように、屋内に移動式無線機器１００とタブレット３００Ａとアクセスポイント２００Ａ、２００Ｂとがある場合を想定する。すなわち、ここで想定する状況は、タブレット３００Ａが、移動式無線機器１００、アクセスポイント２００Ａ及び２００Ｂのいずれかと無線接続することができる場合である。
【００４９】
この場合、タブレット３００Ａは、ネットワーク４００に３Ｇ回線で無線接続された移動式無線機器１００よりも、ネットワーク４００に有線回線で接続されたアクセスポイント２００Ａ又は２００Ｂと無線接続することが、通信速度や回線料金等の観点から望ましい。
【００５０】
従って、移動式無線機器１００は、タブレット３００Ａと無線接続しないように動作する。このときの移動式無線機器１００の詳細な動作については、図５を用いて後述する。
【００５１】
一方、図４に示されるように、移動式無線機器１００とタブレット３００Ａとが屋外にある場合を想定する。すなわち、ここで想定する状況は、タブレット３００Ａが、アクセスポイント２００Ａ又は２００Ｂと無線接続することができない場合である。なぜなら、アクセスポイント２００Ａは、屋内に備え付けられているため、屋外にあるタブレット３００Ａの接続要求信号を受信することができないからである。この場合、タブレット３００Ａは、移動式無線機器１００とのみ無線接続することができる。
【００５２】
従って、タブレット３００Ａは、移動式無線機器１００と無線接続する必要がある。そのため、移動式無線機器１００は、タブレット３００Ａと無線接続するように動作する。このときの移動式無線機器１００の詳細な動作については、図６を用いて後述する。
【００５３】
次に、図５を用いて、図４で前述した屋内における移動式無線機器１００の動作について説明する。なお、図５で示した接続可（１）とは、前述したように、タブレット３００Ａが、アクセスポイント２００Ａ又は２００Ｂと無線接続できる状態を表している。
【００５４】
まず、図５に示されるように、アクセスポイント２００Ａ、２００Ｂのアクセスポイント側通信部２１０が、識別情報信号であるビーコン信号を移動式無線機器１００に送信する（ステップ（以下、Ｓとする）１００Ａ、Ｓ１００Ｂ）。このとき、アクセスポイント２００Ａは、ＥＳＳＩＤ＝ＡＰ−Ａを含むビーコン信号を送信し、アクセスポイント２００Ｂは、ＥＳＳＩＤ＝ＡＰ−Ｂを含むビーコン信号を送信する。
【００５５】
次に、図５に示されるように、移動式無線機器１００の検出部１１０が、アクセスポイント２００Ａ、２００Ｂにより送信される識別情報信号であるビーコン信号に基づいて、アクセスポイント２００Ａ（ＡＰ−Ａ）、２００Ｂ（ＡＰ−Ｂ）を検出する（Ｓ１１０）。
【００５６】
そして、図５に示されるように、移動式無線機器１００の制御部１５０が、アクセスポイントリストを作成して、アクセスポイントリスト保存部１２０に保存する（Ｓ１２０）。この場合、図２と同様に、アクセスポイントリストとして、ＥＳＳＩＤ＝ＡＰ−ＡとＥＳＳＩＤ＝ＡＰ−Ｂとが、アクセスポイントリスト保存部１２０に保存される。
【００５７】
次に、タブレット３００Ａの無線子機側通信部３１０が、接続要求信号であるProbe Request（ＥＳＳＩＤ＝ＡＰ−Ａ）、（ＥＳＳＩＤ＝ＭＲ）、（ＥＳＳＩＤ＝Broadcast）を、移動式無線機器１００とアクセスポイント２００Ａ、２００Ｂに送信する（Ｓ１３０）。なお、ここでは、図３と同様に、タブレット３００Ａは、接続要求先として、アクセスポイント２００Ａと移動式無線機器１００とが設定されている例を示している。
【００５８】
そして、移動式無線機器１００の受信部１３１が、タブレット３００Ａの接続要求信号であるProbe Request（ＥＳＳＩＤ＝ＡＰ−Ａ）、Probe Request（ＥＳＳＩＤ＝ＭＲ）を受信する（Ｓ１４０）。
【００５９】
また、移動式無線機器１００の制御部１５０が、接続要求先リストを作成して接続要求先リスト保存部１４０に保存する（Ｓ１５０）。この場合、図３と同様に、タブレット３００Ａの接続要求先リストとして、ＥＳＳＩＤ＝ＡＰ−ＡとＥＳＳＩＤ＝ＭＲとが、接続要求先リスト保存部１４０に保存される。
【００６０】
次に、移動式無線機器１００の判断部１５１が、検出部１１０の検出結果と、タブレット３００Ａにより送信される接続要求信号であるProbe Requestとに基づいて、Probe Requestに対する応答信号であるProbe responseを送信するか否かを判断する（Ｓ１６０）。
【００６１】
具体的には、判断部１５１は、アクセスポイントリスト保存部１２０のアクセスポイントリストと、接続要求先リスト保存部１４０の接続要求先リストとを比較する。そして、判断部１５１は、接続要求先リストのＥＳＳＩＤとアクセスポイントリストのＥＳＳＩＤが一致するか否かを判断する。この場合、接続要求先リストのＥＳＳＩＤ＝ＡＰ−Ａと、アクセスポイントリストのＥＳＳＩＤ＝ＡＰ−Ａとが一致する。すなわち、接続要求信号であるProbe Requestの接続要求先に、検出部１１０により検出されたアクセスポイント２００Ａが含まれている。
【００６２】
従って、判断部１５１は、応答信号であるProbe Responseを、無線子機３００であるタブレット３００Ａに送信しない判断を行う（Ｓ１７０）。これにより、移動式無線機器１００は、タブレット３００Ａに無線接続されない。
【００６３】
そして、アクセスポイント２００Ａのアクセスポイント側通信部２１０は、Ｓ１３０のProbe Request（ＥＳＳＩＤ＝ＡＰ−Ａ）に対して、応答信号であるProbe Responseをタブレット３００Ａに送信する（Ｓ１８０Ａ）。
【００６４】
また、アクセスポイント２００Ｂのアクセスポイント側通信部２１０も同様に、Ｓ１３０のProbe Request（ＥＳＳＩＤ＝Broadcast）に対して、応答信号であるProbe Responseをタブレット３００Ａに送信する（Ｓ１８０Ｂ）。
【００６５】
最後に、タブレット３００Ａは、Probe Responseを送信したアクセスポイント２００Ａと無線接続を確立する（Ｓ１９０）。ここでは、タブレット３００Ａは、アクセスポイント２００Ａと無線接続を確立する例を示している。しかしながら、タブレット３００Ａは、アクセスポイント２００Ａ又は２００Ｂからの各Probe Responseの受信タイミング等によっては、アクセスポイント２００Ｂと無線接続を確立する場合もある。
【００６６】
次に、図６を用いて、図４で前述した屋外における移動式無線機器１００の動作について説明する。なお、図６で示した接続不可（１）とは、前述したように、タブレット３００Ａが、アクセスポイント２００Ａ又は２００Ｂと無線接続することができない状態を表している。
【００６７】
まず、図６に示されるように、アクセスポイント２００Ａ、２００Ｂのアクセスポイント側通信部２１０が、識別情報信号であるビーコン信号を移動式無線機器１００に送信する（Ｓ２００Ａ、Ｓ２００Ｂ）。このとき、アクセスポイント２００Ａは、ＥＳＳＩＤ＝ＡＰ−Ａを含むビーコン信号を送信し、アクセスポイント２００Ｂは、ＥＳＳＩＤ＝ＡＰ−Ｂを含むビーコン信号を送信する。しかしながら、前述したように、アクセスポイントリスト２００Ａ、２００Ｂは屋内にあるため、ビーコン信号は、屋外にある移動式無線機器１００に届かない。
【００６８】
次に、図６に示されるように、移動無線機１００の検出部１１０が、アクセスポイント２００Ａ、２００Ｂの検出を実行する（Ｓ２１０）。しかしながら、アクセスポイント２００Ａ、２００Ｂにより送信されるビーコン信号が、移動式無線機器１００に届いていないため、検出部１１０は、アクセスポイント２００Ａ、２００Ｂを検出することができない。
【００６９】
そして、図６に示されるように、移動式無線機器１００の制御部１５０が、アクセスポイントリストを作成して、アクセスポイントリスト保存部１２０に保存する（Ｓ２２０）。この場合、検出部１１０が、アクセスポイント２００Ａ、２００Ｂを検出していないため、アクセスポイントリストは空白のままアクセスポイントリスト保存部１２０に保存される。
【００７０】
次に、タブレット３００Ａの無線子機側通信部３１０が、接続要求信号であるProbe Request（ＥＳＳＩＤ＝ＡＰ−Ａ）、（ＥＳＳＩＤ＝ＭＲ）、（ＥＳＳＩＤ＝Broadcast）を、移動式無線機器１００に送信する（Ｓ２３０）。なお、アクセスポイントリスト２００Ａ、２００Ｂは屋内にあるため、屋外にあるタブレット３００Ａの接続要求信号は、アクセスポイント２００Ａ、２００Ｂに届かない。
【００７１】
そして、移動式無線機器１００の受信部１３１が、タブレット３００Ａの接続要求信号であるProbe Request（ＥＳＳＩＤ＝ＡＰ−Ａ）、Probe Request（ＥＳＳＩＤ＝ＭＲ）を受信する（Ｓ２４０）。
【００７２】
また、移動式無線機器１００の制御部１５０が、接続要求先リストを作成して接続要求先リスト保存部１４０に保存する（Ｓ２５０）。この場合、前述した図５と同様に、タブレット３００Ａの接続要求先リストとして、ＥＳＳＩＤ＝ＡＰ−ＡとＥＳＳＩＤ＝ＭＲとが、接続要求先リスト保存部１４０に保存される。
【００７３】
次に、移動式無線機器１００の判断部１５１が、検出部１１０の検出結果と、タブレット３００Ａにより送信される接続要求信号であるProbe Requestとに基づいて、Probe Requestに対する応答信号であるProbe responseを送信するか否かを判断する（Ｓ２６０）。この場合、接続要求先リストのＥＳＳＩＤと一致するＥＳＳＩＤがアクセスポイントリストにない。
【００７４】
従って、判断部１５１は、応答信号であるProbe Responseを、無線子機３００であるタブレット３００Ａに送信する判断を行う（Ｓ２７０）。
【００７５】
そして、タブレット３００Ａは、Probe Responseを送信した移動式無線機器１００と無線接続を確立する（Ｓ２８０）。
【００７６】
次に、引き続き図６を用いて、タブレット３００Ａと移動式無線機器１００とが無線接続を確立したまま、タブレット３００Ａと移動式無線機器１００が、屋外から屋内に移動した場合を想定する。すなわち、ここで想定する状況は、タブレット３００Ａが、アクセスポイント２００Ａ又は２００Ｂと無線接続することができない状態から、タブレット３００Ａが、移動式無線機器１００、アクセスポイント２００Ａ及び２００Ｂのいずれかと無線接続することができる状態まで変化した場合である。
【００７７】
なお、図６で示した接続可（３）とは、図５と同様に、タブレット３００Ａが、アクセスポイント２００Ａ又は２００Ｂと無線接続できる状態を表している。
【００７８】
次に、タブレット３００Ａと移動式無線機器１００とが無線接続を確立しているときであって、タブレット３００Ａと移動式無線機器１００が屋外にある場合の移動式無線機器１００の動作について説明する。
【００７９】
Ｓ２８０でタブレット３００Ａと移動式無線機器１００とが無線接続を確立した後も、移動式無線機器１００の検出部１１０は、アクセスポイント２００Ａ、２００Ｂの検出を実行する（Ｓ２９０）。しかしながら、Ｓ２１０と同様に、検出部１１０は、アクセスポイント２００Ａ、２００Ｂを検出することができない。
【００８０】
また、Ｓ２２０と同様に、移動式無線機器１００の制御部１５０が、アクセスポイントリストを作成して、アクセスポイントリスト保存部１２０に保存する（Ｓ３００）。
【００８１】
このとき、タブレット３００Ａが、アクセスポイント２００Ａ又は２００Ｂと無線接続することができない状態のため（図中（２））、移動式無線機器１００は、タブレット３００Ａと継続して無線接続する。
【００８２】
次に、タブレット３００Ａと移動式無線機器１００とが無線接続を確立しているときであって、タブレット３００Ａと移動式無線機器１００が屋外から屋内に移動した場合の移動式無線機器１００の無線通信方法について説明する。
【００８３】
このとき、前述した図中（２）の状態から、タブレット３００Ａが、移動式無線機器１００、アクセスポイント２００Ａ及び２００Ｂのいずれかと無線接続することができる状態になったとする（図中（３））。
【００８４】
まず、アクセスポイント２００Ａ、２００Ｂのアクセスポイント側通信部２１０が、識別情報信号であるビーコン信号を移動式無線機器１００に送信する（Ｓ３１０Ａ、Ｓ３１０Ｂ）。
【００８５】
そして、図５で示したＳ１１０と同様に、移動無線機１００の検出部１１０が、アクセスポイント２００Ａ、２００Ｂにより送信される識別情報信号であるビーコン信号に基づいて、アクセスポイント２００Ａ、２００Ｂを検出する（Ｓ３２０）。
【００８６】
次に、図５で示したＳ１２０と同様に、移動式無線機器１００の制御部１５０が、アクセスポイントリストを作成して、アクセスポイントリスト保存部１２０に保存する（Ｓ３３０）。
【００８７】
このとき、移動式無線機器１００の制御部１５０は、Ｓ２５０で作成した接続要求先リストにあるタブレット３００Ａの接続要求先のアクセスポイント２００Ａ（ＥＳＳＩＤ＝ＡＰ−Ａ）が、検出部１１０により検出されたことを検知する。すなわち、移動式無線機器１００の制御部１５０は、タブレット３００Ａが、移動式無線機器１００、アクセスポイント２００Ａ及び２００Ｂのいずれかと無線接続することができる状態になったことを検知する。
【００８８】
そして、解除信号送信部１３３は、制御部１５０の制御を受け、タブレット３００Ａとの無線接続を解除する接続解除信号を、タブレット３００Ａに送信する。これにより、タブレット３００Ａと移動式無線機器１００との無線接続が解除される。
【００８９】
なお、この後、タブレット３００Ａは、無線接続を確立するため、接続要求信号であるProbe Requestを、移動式無線機器１００とアクセスポイント２００Ａ、２００Ｂに送信する。その後のタブレット３００Ａ、移動式無線機器１００、アクセスポイント２００Ａ及び２００Ｂの各々の動作は、図５で示したＳ１４０〜Ｓ１９０と同様のため説明を省略する。この結果、タブレット３００Ａは、アクセスポイント２００Ａ又は２００Ｂと無線接続する。
【００９０】
また、移動式無線機器１００とタブレット３００Ａが、屋内から屋外に移動した場合についても、図５及び図６と同様の動作を行うため、説明を省略する。この場合、タブレット３００Ａは、屋内ではアクセスポイント２００Ａ又は２００Ｂと無線接続し、屋外では移動式無線機器１００と無線接続する。
【００９１】
以上に説明したように、本発明の第１の実施の形態における移動式無線機器１００は、接続要求信号を送信し接続要求信号に対する応答信号を送信した先と無線接続する無線子機３００と通信するとともに、ネットワーク４００に有線により接続されたアクセスポイント（固定式無線機器）２００と通信し、ネットワーク４００に無線により接続された移動式無線機器１００であって、検出部１１０と、応答信号送信部１３２と、判断部１５１とを有して構成されている。
【００９２】
検出部１１０は、アクセスポイント２００により出力される識別情報信号に基づいて、アクセスポイント２００を検出する。これにより、移動式無線機器１００は、アクセスポイント２００の存在を認識することができる。移動式無線機器１００は、アクセスポイント２００が存在することを認識すると、アクセスポイント２００と無線子機３００とが無線接続できる状態であると識別できる。逆に、移動式無線機器１００は、アクセスポイント２００が存在しないことを認識すると、アクセスポイント２００と無線子機３００とが無線接続できない状態であると識別できる。
【００９３】
そして、判断部１５１は、検出部１１０の検出結果と、無線子機３００により出力される接続要求信号とに基づいて、接続要求信号に対する応答信号を無線子機３００に送信するか否かを判断する。前述したように、移動式無線機器１００は、検出部１１０の検出結果から、アクセスポイント２００と無線子機３００とが無線接続できる状態か否かを識別することができる。
【００９４】
よって、移動式無線機器１００は、アクセスポイント２００と無線子機３００との間の無線接続の通信可否に応じて、応答信号を送信することができる。そして、応答信号送信部１３２は、判断部１５１の判断結果に基づいて、応答信号であるProbe Responseを無線子機３００に送信する。
【００９５】
ここで、前述したように、無線子機３００は、応答信号の送信元と無線接続する。従って、移動式無線機器１００は、無線子機３００とアクセスポイント２００とが無線接続することができる場合には、応答信号を無線子機３００に送信しない。これにより、無線子機３００は、アクセスポイント２００と無線接続し、移動式無線機器１００とは無線接続しない。
【００９６】
逆に、移動式無線機器１００は、無線子機３００とアクセスポイント２００とが無線接続することができない場合には、応答信号を無線子機３００に送信する。これにより、無線子機３００は、移動式無線機器１００と無線接続する。このように、無線子機３００は、ネットワーク４００に有線で接続されているアクセスポイント２００と無線接続可能な場合には、有線を介して、より速い通信速度で安定した通信を行うことができる。
【００９７】
すなわち、移動式無線機器１００は、無線子機３００が通信環境に応じた無線接続先を適切に選択できるように、無線子機３００の無線接続動作を制御することができる。
【００９８】
また、本発明の第１の実施の形態における移動式無線機器１００において、判断部１５１は、接続要求信号の接続要求先に、検出部１１０により検出されたアクセスポイント２００が含まれている場合には、応答信号を無線子機３００に送信しない判断を行い、接続要求信号の接続要求先に、検出部１１０により検出されたアクセスポイント２００が含まれていない場合には、応答信号を無線子機３００に送信する判断を行う。
【００９９】
よって、移動式無線機器１００は、アクセスポイント２００が存在すると認識した場合であっても、無線子機３００の接続要求先にアクセスポイント２００が含まれていない場合、アクセスポイント２００と無線子機３００とが無線接続できない状態であると識別できる。そして、移動式無線機器１００は、自身が無線子機３００と無線接続するように、応答信号を無線子機３００に送信する。
【０１００】
すなわち、移動式無線機器１００は、無線子機３００が通信環境に応じた無線接続先を適切に選択できるように、無線子機３００の無線接続動作をより正確に制御することができる。
【０１０１】
また、本発明の第１の実施の形態における移動式無線機器１００は、解除信号送信部１３３を有する。解除信号送信部１３３は、移動式無線機器１００が無線子機３００と無線接続を確立している場合であって、接続要求信号の接続要求先のアクセスポイント２００が、検出部１１０により検出されたとき、無線子機３００との無線接続を解除する接続解除信号を無線子機３００に送信する。
【０１０２】
これにより、移動式無線機器１００が無線子機３００と無線接続を確立している場合であっても、移動式無線機器１００は、無線子機３００とアクセスポイント２００とが無線接続することができるときには、無線子機３００とアクセスポイント２００とが無線接続するように動作する。この結果、移動式無線機器１００は、無線子機３００の通信環境が変化した場合であっても、無線子機３００が通信環境に応じた無線接続先を適切に選択できるように、無線子機３００の無線接続動作を制御することができる。
【０１０３】
また、本発明の第１の実施の形態における無線通信システム１０００は、接続要求信号を送信し接続要求信号に対する応答信号を送信した先と無線接続する無線子機３００と、ネットワーク４００に有線により接続されたアクセスポイント（固定式無線機器）２００と、無線子機３００とアクセスポイント２００と通信しネットワーク４００に無線により接続された移動式無線機器１００と、を有する無線通信システム１０００であって、移動式無線機器１００は、アクセスポイント２００により出力される識別情報信号に基づいて、アクセスポイント２００を検出する検出部１１０と、検出部１１０の検出結果と、無線子機３００により出力される接続要求信号とに基づいて、接続要求信号に対する応答信号を無線子機３００に送信するか否かを判断する判断部１５１と、判断部１５１の判断結果に基づいて、応答信号を無線子機３００に送信する応答信号送信部１３２と、を有する。
【０１０４】
この無線通信方法は、上述した移動式無線機器１００の装置の発明をシステムの発明としたものであるから、上述した移動式無線機器１００と同様の作用効果を奏する。
【０１０５】
また、本発明の第１の実施の形態における無線通信方法は、接続要求信号を送信し接続要求信号に対する応答信号を送信した先と無線接続する無線子機３００と通信するとともに、ネットワーク４００に有線により接続されたアクセスポイント２００と通信し、ネットワーク４００に無線により接続された移動式無線機器１００の無線通信方法であって、、アクセスポイント２００により出力される識別情報信号に基づいて、アクセスポイント２００を検出する検出ステップと、検出部１１０の検出結果と、無線子機３００により出力される接続要求信号とに基づいて、接続要求信号に対する応答信号を無線子機３００に送信するか否かを判断する判断ステップと、判断ステップの判断結果に基づいて、応答信号を無線子機３００に送信する送信ステップとを含む。
【０１０６】
この無線通信方法は、上述した移動式無線機器１００の装置の発明を方法の発明としたものであるから、上述した移動式無線機器１００と同様の作用効果を奏する。
【０１０７】
＜第２の実施の形態＞
図７を用いて、本発明の第２の実施の形態における移動式無線機器１００Ａの詳細な構成を説明する。図７は、移動式無線機器１００Ａを含む無線通信システム１０００Ａの構成を示すブロック図である。無線通信システム１０００Ａは、移動式無線機器１００Ａと、アクセスポイント２００と、無線子機３００とを含んで構成される。なお、図７では、図１〜６で示した各構成要素と同等の構成要素には、図１〜６で示した符号と同等の符号を付している。
【０１０８】
図７に示されるように、移動式無線機器１００Ａは、検出部１１０と、応答信号送信部１３２と、判断部１５１Ａと、優先度設定部１５２とを有して構成されている。
【０１０９】
ここで、図１と図７とを対比する。図１では、移動式無線機器１００の制御部１５０が、判断部１５１のみを有している。これに対して、図７では、移動式無線機器１００Ａの制御部１５０Ａが、判断部１５１Ａと優先度設定部１５２を有している。この点で、図１と図７は互いに相違する。以下の説明では、図１〜６で示した構成と同等の構成については、説明を省略する。
【０１１０】
判断部１５１Ａは、優先度設定部１５２により設定された移動式無線機器１００Ａの優先度よりも高い優先度のアクセスポイント２００が、検出部１１０により検出された場合には、応答信号を無線子機３００に送信しない判断を行い、優先度設定部１５２により設定された移動式無線機器１００Ａの優先度よりも高い優先度のアクセスポイント２００が、検出部１１０により検出されない場合には、応答信号を無線子機３００に送信する判断を行う。
【０１１１】
優先度設定部１５２は、接続要求信号の接続要求先に含まれる移動式無線機器１００及びアクセスポイント２００の優先度を設定する。優先度とは、後述する判断部１５１Ａが、応答信号を無線子機３００に送信するか否かを判断する際に用いる優先順位や優先度合等の情報である。
【０１１２】
また、優先度設定部１５２は、所定の設定値に基づいて優先度を設定する。所定の設定値は、例えばユーザによって設定される。
【０１１３】
ここで、図８を用いて、優先度設定部１５２の動作について詳細に説明する。図８は、優先度設定部１５２が、接続要求先リストの優先度を設定する動作を説明するための図である。なお、図８は、図３と同様に、移動式無線機器１００Ａが、無線子機３００であるタブレット３００Ａ及びパソコン３００Ｂから出力される接続要求信号であるProbe Requestを受信した場合の例を示している。
【０１１４】
前述したように、移動式無線機器１００Ａの制御部１５０Ａは、受信部１３１により受信した接続要求信号から接続要求先のＥＳＳＩＤを抽出し、接続要求先リストとして接続要求先リスト保存部１４０に保存する。
【０１１５】
このとき、図８に示されるように、優先度設定部１５２は、接続要求信号の送信元であるタブレット３００Ａ、パソコン３００Ｂごとに、接続要求信号の接続要求先の優先度を設定する。この場合、図８に示されるように、優先度設定部１５２が、タブレット３００Ａの接続要求先であるＥＳＳＩＤ＝ＡＰ−Ａを優先度１とし、ＥＳＳＩＤ＝ＭＲを優先度２として設定した例を示している。なお、優先度は、度数が小さいほど優先度が高いものとする。すなわち、優先度１は、優先度２よりも優先度が高い。
【０１１６】
また、この場合、優先度設定部１５２が、パソコン３００Ｂの接続要求先であるＥＳＳＩＤ＝ＡＰ−Ａを優先度１、ＥＳＳＩＤ＝ＭＲを優先度２、ＥＳＳＩＤ＝ＡＰ−Ｂを優先度３、ＥＳＳＩＤ＝ＡＰ−Ｃを優先度４として設定した例を示している。
【０１１７】
次に、図９を用いて、移動式無線機器１００Ａの動作について説明する。図９は、移動式無線機器１００Ａの動作フローを示す図である。なお、ここでは、図４で前述したように、パソコン３００Ｂと移動式無線機器１００Ａとアクセスポイント２００Ｂとが存在する場合について説明する。すなわち、図４で移動式無線機器１００に代えて、移動式無線機器１００Ａを設置した場合を想定する。また、図９で示した接続可（１）とは、パソコン３００Ｂが、アクセスポイント２００Ｂと無線接続できる状態を表している。
【０１１８】
まず、図９に示されるように、アクセスポイント２００Ｂのアクセスポイント側通信部２１０が、識別情報信号であるビーコン信号を移動式無線機器１００Ａに送信する（Ｓ４００）。このとき、アクセスポイント２００Ｂは、ＥＳＳＩＤ＝ＡＰ−Ｂを含むビーコン信号を送信する。
【０１１９】
次に、移動式無線機器１００Ａの検出部１１０が、アクセスポイント２００Ｂ（ＡＰ−Ｂ）を検出する（Ｓ４１０）。
【０１２０】
そして、移動式無線機器１００Ａの制御部１５０Ａが、アクセスポイントリストを作成して、アクセスポイントリスト保存部１２０に保存する（Ｓ４２０）。
【０１２１】
次に、パソコン３００Ｂの無線子機側通信部３１０が、接続要求信号であるProbe Requestを、移動式無線機器１００Ａとアクセスポイント２００Ｂに送信する（Ｓ４３０）。
【０１２２】
そして、移動式無線機器１００Ａの受信部１３１が、Probe Requestを受信する（Ｓ４４０）。
【０１２３】
次に、移動式無線機器１００Ａの制御部１５０が、接続要求先リストを作成して接続要求先リスト保存部１４０に保存する（Ｓ４５０）。このとき、図８を用いて前述したように、優先度設定部１５２は、接続要求信号であるProbe Requestの送信元であるパソコン３００Ｂの接続要求先の優先度を設定する。
【０１２４】
そして、移動式無線機器１００Ａの判断部１５１Ａが、検出部１１０の検出結果と、パソコン３００Ｂから送信されたProbe Requestとに基づいて、Probe Responseを送信するか否かを判断する（Ｓ４６０）。
【０１２５】
このとき、図５を用いて説明した移動式無線機器１００の判断部１５１では、接続要求先リストのＥＳＳＩＤと、アクセスポイントリストのＥＳＳＩＤとが一致する場合、Probe Responseを送信しない判断を行った。
【０１２６】
しかしながら、図９に示されるように、ここでは、移動式無線機器１００Ａの判断部１５１Ａは、接続要求先リストのＥＳＳＩＤ＝ＡＰ−Ｂと、アクセスポイントリストのＥＳＳＩＤ＝ＡＰ−Ｂが一致するが、Probe Responseを送信する判断を行う。
【０１２７】
なぜなら、図８で前述したように、アクセスポイント２００Ｂの優先度であるＥＳＳＩＤ＝ＡＰ−Ｂの優先度は、優先度設定部１５２によって、移動式無線機器１００Ａの優先度であるＥＳＳＩＤ＝ＭＲの優先度よりも低く設定されているからである。言い換えれば、優先度設定部１５２により設定された移動式無線機器１００Ａの優先度よりも高い優先度のアクセスポイント２００Ａが、検出部１１０により検出されていないからである。
【０１２８】
つまり、移動式無線機器１００Ａは、自身よりも優先的にパソコン３００Ｂと無線接続すべきアクセスポイント２００が存在しないことを判断し、自身がパソコン３００Ｂと無線接続され得るように動作する。
【０１２９】
従って、移動式無線機器１００Ａの応答信号送信部１３２は、応答信号であるProbe Responseをパソコン３００Ｂに送信する（Ｓ４７０）。これにより、移動式無線機器１００Ａは、パソコン３００Ｂと無線接続することができる。
【０１３０】
また、アクセスポイント２００Ｂは、Ｓ４３０のProbe Request（ＥＳＳＩＤ＝ＡＰ−Ｂ）に対して、応答信号であるProbe Responseをパソコン３００Ｂに送信する（Ｓ４８０）。
【０１３１】
最後に、パソコン３００Ｂは、Probe Responseを送信した移動式無線機器１００Ａと無線接続を確立する。なお、ここでは、パソコン３００Ｂは、移動式無線機器１００Ａと無線接続する例を示している。しかしながら、パソコン３００Ｂは、移動式無線機器１００Ａ又はアクセスポイント２００Ｂの各Probe Responseの受信タイミング等によっては、アクセスポイント２００Ｂと無線接続を確立する場合もある。
【０１３２】
図９では、移動式無線機器１００Ａの優先度設定部１５２により設定された移動式無線機器１００Ａの優先度よりも高い優先度のアクセスポイント２００Ａが、検出部１１０により検出されていない場合における判断部１５１Ａの動作について説明した。
【０１３３】
一方、図１０を用いて、移動式無線機器１００Ａの優先度設定部１５２により設定された移動式無線機器１００Ａの優先度よりも高い優先度のアクセスポイント２００Ａが、検出部１１０により検出された場合における判断部１５１Ａの動作について説明する。図１０は、移動式無線機器１００Ａの動作フローを示す図である。
【０１３４】
前述した図９では、屋内にパソコン３００Ｂと移動式無線機器１００Ａとアクセスポイント２００Ｂが存在する例を示した。一方、図１０では、屋内にパソコン３００Ｂと移動式無線機器１００Ａとアクセスポイント２００Ａ及び２００Ｂとが存在する例を想定する。
【０１３５】
Ｓ５００〜Ｓ５４０は、図５又は図９と同様のため、説明を省略する。
【０１３６】
次に、移動式無線機器１００Ａの制御部１５０が、接続要求先リストを作成して接続要求先リスト保存部１４０に保存する（Ｓ５５０）。このとき、図８を用いて前述したように、優先度設定部１５２は、接続要求信号であるProbe Requestの送信元であるパソコン３００Ｂの接続要求先の優先度を設定する。
【０１３７】
そして、移動式無線機器１００Ａの判断部１５１Ａが、検出部１１０の検出結果と、パソコン３００Ｂから送信されたProbe Requestとに基づいて、Probe Responseを送信するか否かを判断する（Ｓ５６０）。
【０１３８】
このとき、Ｓ５１０において、優先度設定部１５２により設定された移動式無線機器１００Ａの優先度よりも高い優先度のアクセスポイント２００Ａが、検出部１１０により検出されているため、判断部１５１Ａは、Probe Responseをパソコン３００Ｂに送信しない判断を行う。つまり、移動式無線機器１００Ａの判断部１５１Ａは、自身よりも優先的にパソコン３００Ｂと無線接続すべきアクセスポイント２００Ａが存在することを判断し、自身がパソコン３００Ｂと無線接続されないように動作する。
【０１３９】
従って、移動式無線機器１００Ａの応答信号送信部１３２は、応答信号であるProbe Responseをパソコン３００Ｂに送信しない（Ｓ５７０）。
【０１４０】
一方、アクセスポイント２００Ａ、２００Ｂのアクセスポイント側通信部２１０は、Probe Responseをパソコン３００Ｂに送信する（Ｓ５８０Ａ、Ｓ５８０Ｂ）。
【０１４１】
最後に、パソコン３００Ｂは、Probe Responseを送信したアクセスポイント２００Ａと無線接続を確立する（Ｓ５９０）。
【０１４２】
以上説明したように、本発明の第２の実施の形態における移動式無線機器１００Ａは、優先度設定部１５２を有している。優先度設定部１５２は、接続要求信号の接続要求先に含まれる移動式無線機器１００及びアクセスポイント２００の優先度を設定する。また、本発明の第２の実施の形態における移動式無線機器１００Ａにおいて、判断部１５１Ａは、優先度設定部１５２により設定された移動式無線機器１００Ａの優先度よりも高い優先度のアクセスポイント２００が、検出部１１０により検出された場合には、応答信号を無線子機３００に送信しない判断を行い、優先度設定部１５２により設定された移動式無線機器１００Ａの優先度よりも高い優先度のアクセスポイント２００が、検出部１１０により検出されない場合には、応答信号を無線子機３００に送信する判断を行う。
【０１４３】
これにより、移動式無線機器１００Ａは、自身よりも優先的に無線子機３００と無線接続すべきアクセスポイント２００が存在する場合には、自身が無線子機３００と無線接続されないように動作する。また、移動式無線機器１００Ａは、自身よりも優先的に無線子機３００と無線接続すべきアクセスポイント２００が存在しない場合には、自身が無線子機３００と無線接続されるように動作する。
【０１４４】
よって、移動式無線機器１００Ａは、設定された優先度に応じて、自身が優先的に無線子機３００と無線接続すべきか否かを判断することができる。そのため、移動式無線機器１００Ａは、アクセスポイント２００が存在し、そのアクセスポイント２００が無線子機３００の接続要求先に含まれる場合であっても、自身が優先的に無線子機３００と無線接続する必要がある場合には、無線子機３００に応答信号を送信し、無線子機３００と無線接続することができる。
【０１４５】
従って、移動式無線機器１００Ａは、無線子機３００が通信環境に応じた無線接続先を適切に選択できるように、無線子機３００の無線接続動作をより効果的に制御することができる。
【０１４６】
以上、実施の形態を基に本発明を説明した。実施の形態は例示であり、本発明の主旨から逸脱しない限り、上述の実施の形態に対して、様々な変更、増減、組合せを加えてもよい。
【符号の説明】
【０１４７】
１００  移動式無線機器
１００Ａ  移動式無線機器
１１０  検出部
１２０  アクセスポイントリスト保存部
１３０  移動式無線機器側通信部
１３１  受信部
１３２  応答信号送信部
１３３  解除信号送信部
１４０  接続要求先リスト保存部
１５０  制御部
１５０Ａ  制御部
１５１  判断部
１５１Ａ  判断部
１５２  優先度設定部
２００  アクセスポイント
２００Ａ  アクセスポイント
２００Ｂ  アクセスポイント
３００  無線子機
３００Ａ  タブレット
３００Ｂ  パソコン
４００  ネットワーク
１０００  無線通信システム
１０００Ａ  無線通信システム
【図１】
0005964804.tif 000002
【図２】
0005964804.tif 000003
【図３】
0005964804.tif 000004
【図４】
0005964804.tif 000005
【図５】
0005964804.tif 000006
【図６】
0005964804.tif 000007
【図７】
0005964804.tif 000008
【図８】
0005964804.tif 000009
【図９】
0005964804.tif 000010
【図１０】
0005964804.tif 000011